(57)【要約】【課題】各位の字輪を手動式で任意に番号調整できる調整ツマミを備えた番号器を提供する。【解決手段】ケース１内に一、十、百の位の３個の字輪２ａ、２ｂ、２ｃと、これらの字輪を間欠的に回動する送り爪を収納し、ケース内部に装着したスライダ４の昇降動に連動する送り爪の作動により、前記字輪を間欠的に回動するようにした番号器であって、前記ケース１に水平な回転軸３が回動自在に枢着されているとともに、この回転軸３に前記各位の字輪２ａ、２ｂ、２ｃが軸止されており、回転軸３の両端に取り付けたリューズ３ａ、３ｂの回動により各位の字輪２ａ、２ｂ、２ｃを任意の番号に回動調整できるようにした。【選択図】図６
2015174258.tif 000002
【特許請求の範囲】
【請求項１】
ケース内に一、十、百の位の３個の字輪と、これらの字輪を間欠的に回動する送り爪を収納し、ケース内部に装着したスライダの昇降動に連動する送り爪の作動により、前記字輪を間欠的に回動するようにした番号器であって、前記ケースに水平な回転軸が回動自在に枢着されているとともに、この回転軸に前記各位の字輪が軸止されており、回転軸の両端に取り付けたリューズの回動により各位の字輪を任意の番号に回動調整できるようにしたことを特徴とする番号器。
【請求項２】
回転軸は、一の位の字輪を固定する第１の軸部品と、十及び百の位の字輪を固定する第２の軸部品の２部品で構成されているとともに、第１及び第２の軸部品は同軸上で互いに摺動自在とされており、また、第１の軸部品の軸部外周には一の位の字輪の凹部に嵌合する凸部が形成され、第２の軸部品の軸部外周には十の位の字輪の凹部と百の位の字輪の凹部のいずれかと選択的に嵌合する凸部が形成されている請求項１に記載の番号器。
【請求項３】
一から百の位の各字輪は、それぞれ固定用ギヤを有しており、ケースに取り付けた固定爪器から突出した各位の字輪係止用の爪片先端部が、前記固定用ギヤの溝に係合して各字輪を固定するように構成されている請求項１または２に記載の番号器。
【請求項４】
十の位の字輪は、空転防止用ギヤを有しており、ケースに取り付けた固定爪器から突出した空転防止用の爪片先端部が、前記空転防止用ギヤの溝に係合して十の位の字輪の空転を防止するように構成されている請求項３に記載の番号器。
【請求項５】
字輪は、円板状の回転子と、この回転子の外周に装着される印字ベルトからなり、前記回転子の外周には逆テーパ状の壁面からなる凹部が形成され、この凹部内に印字ベルトの裏面に設けた凸部が係合してある請求項１〜４のいずれかに記載の番号器。
【請求項６】
字輪の回転軸には、常時は字輪の印字面に密着して覆った状態にあり、押印時には外部側へ跳ね上がった状態となるようにスライダの昇降動に連動して回動する可動式スタンプ台が取り付けてある請求項１〜５のいずれかに記載の番号器。
【請求項７】
ケースの側面には、スライダが上昇した位置を保持するためのロック爪が設けてある請求項１〜６のいずれかに記載の番号器。
【発明の詳細な説明】
【技術分野】
【０００１】
本発明は、各位の字輪を手動式で任意に番号調整できる調整ツマミを備えた番号器に関するものである。
【背景技術】
【０００２】
従来から、例えば各種の書類や伝票等に連続的な番号を押印して管理することが一般に行われており、このための印字器として、押印する毎に自動的に番号が順次繰り上がっていく番号器が広く利用されている。
【０００３】
従来の番号器としては、例えば特許文献１に示されるように、字輪毎に取り付けられた送り爪により、各字輪の側面にある字輪回転用ギヤが回動されて順次数字が繰り上がるように構成されているのが一般的である。また、一の位の字輪が一回転するとこれに連動して十の位の送り爪が作動して字輪を１個分だけ回転させて繰り上げる構造となっており、以下、百の位も同様の構造となっている。
【０００４】
ところが、従来の番号器には各位の字輪の番号調整をする機構がないため、字輪の番号を調整するにはピンセット等で強制的に字輪を回動させて行う方法が採られているが、調整作業がやりにくく、また手も汚れるという問題があった。
一方、特許文献２〜３に示されるように、日付印のような自動繰り上がり機構のない単純な回転印においては、各字輪ごとに取り付けられた調整ツマミを手で回動調整するようにしたものが公知である。しかしながら、このような回転印の調整ツマミをそのまま番号器に組み込むことは構造上できなかった。
従って、各位の字輪を手動式で任意に番号調整できる調整ツマミを備えた番号器の開発が要望されていた。
【先行技術文献】
【特許文献】
【０００５】
【特許文献１】特開昭５４−１３１４２５号公報
【特許文献２】実開昭５３−２３３１４号公報
【特許文献３】実開昭５５−５８８５４号公報
【発明の概要】
【発明が解決しようとする課題】
【０００６】
本発明は、上記のような問題点を解決して、各位の字輪を手動式で任意に回動調整することができる調整ツマミを備えており、各字輪の調整を手を汚すことなく簡単に行うことができる番号器を提供することを目的とするものである。
【課題を解決するための手段】
【０００７】
上記課題を解決するためになされた本発明の番号器は、ケース内に一、十、百の位の３個の字輪と、これらの字輪を間欠的に回動する送り爪を収納し、ケース内部に装着したスライダの昇降動に連動する送り爪の作動により、前記字輪を間欠的に回動するようにした番号器であって、前記ケースに水平な回転軸が回動自在に枢着されているとともに、この回転軸に前記各位の字輪が軸止されており、回転軸の両端に取り付けたリューズの回動により各位の字輪を任意の番号に回動調整できるようにしたことを特徴とするものである。
【０００８】
前記回転軸は、一の位の字輪を固定する第１の軸部品と、十及び百の位の字輪を固定する第２の軸部品の２部品で構成されているとともに、第１及び第２の軸部品は同軸上で互いに摺動自在とされており、また、第１の軸部品の軸部外周には一の位の字輪の凹部に嵌合する凸部が形成され、第２の軸部品の軸部外周には十の位の字輪の凹部と百の位の字輪の凹部のいずれかと選択的に嵌合する凸部が形成されているものが好ましく、これを請求項２に係る発明とする。
【０００９】
一から百の位の各字輪は、それぞれ固定用ギヤを有しており、ケースに取り付けた固定爪器から突出した各位の字輪係止用の爪片先端部が、前記固定用ギヤの溝に係合して各字輪を固定するように構成されているものが好ましく、これを請求項３に係る発明とする。
【００１０】
前記十の位の字輪は、空転防止用ギヤを有しており、ケースに取り付けた固定爪器から突出した空転防止用の爪片先端部が、前記空転防止用ギヤの溝に係合して十の位の字輪の空転を防止するように構成されているものが好ましく、これを請求項４に係る発明とする。
【００１１】
前記字輪は、円板状の回転子と、この回転子の外周に装着される印字ベルトからなり、前記回転子の外周には逆テーパ状の壁面からなる凹部が形成され、この凹部内に印字ベルトの裏面に設けた凸部が係合してあるものが好ましく、これを請求項５に係る発明とする。
【００１２】
前記字輪の回転軸には、常時は字輪の印字面に密着して覆った状態にあり、押印時には外部側へ跳ね上がった状態となるようにスライダの昇降動に連動して回動する可動式スタンプ台が取り付けてあることが好ましく、これを請求項６に係る発明とする。
【００１３】
前記ケースの側面には、スライダが上昇した位置を保持するためのロック爪が設けてあることが好ましく、これを請求項７に係る発明とする。
【発明の効果】
【００１４】
請求項１に係る発明では、ケースに水平な回転軸が回動自在に枢着されているとともに、この回転軸に前記各位の字輪が軸止されており、回転軸の両端に取り付けたリューズの回動により各位の字輪を任意の番号に回動調整できるようにしたので、番号器においても各字輪の調整を手を汚すことなく簡単に行うことが可能となる。
【００１５】
請求項２に係る発明では、回転軸は、一の位の字輪を固定する第１の軸部品と、十及び百の位の字輪を固定する第２の軸部品の２部品で構成されているとともに、第１及び第２の軸部品は同軸上で互いに摺動自在とされており、また、第１の軸部品の軸部外周には一の位の字輪の凹部に嵌合する凸部が形成され、第２の軸部品の軸部外周には十の位の字輪の凹部と百の位の字輪の凹部のいずれかと選択的に嵌合する凸部が形成されているので、第１の軸部品及び第２の軸部品によって３個の字輪を自在に回動調整することができることとなる。
【００１６】
請求項３に係る発明では、一から百の位の各字輪は、それぞれ固定用ギヤを有しており、ケースに取り付けた固定爪器から突出した各位の字輪係止用の爪片先端部が、前記固定用ギヤの溝に係合して各字輪を固定するように構成されているので、字輪の位置合わせを確実に行えるとともに、回動操作にクリック感を出すことができることとなる。
【００１７】
請求項４に係る発明では、十の位の字輪は、空転防止用ギヤを有しており、ケースに取り付けた固定爪器から突出した空転防止用の爪片先端部が、前記空転防止用ギヤの溝に係合して十の位の字輪の空転を防止するように構成されているので、百の位の字輪の回動調整を行う際に十の位の字輪が空転するのを的確に防止できることとなる。
【００１８】
請求項５に係る発明では、字輪が円板状の回転子と、この回転子の外周に装着される印字ベルトからなり、前記回転子の外周には逆テーパ状の壁面からなる凹部が形成され、この凹部内に印字ベルトの裏面に設けた凸部が係合してあるので、印字ベルトを回転子の外周に正確かつ強固に取り付けることができ、精度の高い印字が行えることとなる。
【００１９】
請求項６に係る発明では、字輪の回転軸には、常時は字輪の印字面に密着して覆った状態にあり、押印時には外部側へ跳ね上がった状態となるようにスライダの昇降動に連動して回動する可動式スタンプ台が取り付けてあるので、印字面に対し自動的にインクの供給を行うことができ、またスタンプ台が跳ね上げ式でありコンパクトな構造とすることができる。
【００２０】
請求項７に係る発明では、ケースの側面には、スライダが上昇した位置を保持するためのロック爪が設けてあるので、使用しない時はスライダを上昇位置に保持してコンパクトな形態とすることができ、優れた取扱い性を発揮することができる。
【図面の簡単な説明】
【００２１】
【図１】本発明の実施の形態を示す斜視図である。
【図２】本発明の実施の形態を示す正面図である。
【図３】本発明の実施の形態を示す平面図である。
【図４】図３におけるＡ−Ａ断面図である。
【図５】図３におけるＢ−Ｂ断面図である。
【図６】本発明の要部を示す斜視図である。
【図７】（ａ）は固定爪器の平面視図、（ｂ）は斜視図である。
【図８】固定爪器とケースの分解斜視図である。
【図９】一の位の字輪側から見た字輪の分解斜視図である。
【図１０】百の位の字輪側から見た字輪の分解斜視図である。
【図１１】回転軸のリューズ操作の説明図である。
【図１２】回転軸のリューズ操作の説明図である。
【図１３】字輪の正面図である。
【図１４】スタンプ台を跳ね上げた状態を示す側面図である。
【発明を実施するための形態】
【００２２】
以下に、図面を参照しつつ本発明の好ましい実施の形態を示す。
図１は本発明の実施の形態を示す斜視図、図２はその正面図、図３はその平面図である。また、図４は図３におけるＡ−Ａ断面図、図５はＢ−Ｂ断面図である。
本発明の番号器は、ケース内に複数個の字輪と、この字輪を回動する字輪回転用ギヤと、字輪回転用ギヤを間欠的に回動する送り爪を収納し、ケース内部に装着したスライダの昇降動に連動する送り爪の作動により、前記字輪を間欠的に回動するのを基本的な動作とするものである。
【００２３】
以下、本発明につき図面を参照しつつ説明する。
図において、１は分割式の２部材からなるケースである。２は一の位の字輪２ａ、十の位の字輪２ｂ、百の位の字輪２ｃからなる３連式の字輪で、ケース１内に取り付けられている。３は前記字輪２の回転軸で、３ａ、３ｂはそのリューズであり、回転軸３がケース１の下方部で水平に枢着されることで自在に回動し、この結果、字輪２が回動自在な構造となっている。４はケース内部に装着される枠状のスライダであり、上部にスプリング５が装着されていて、常時は下方に向けて付勢されている。また、スライダ４の底面には押印用の開口部４ａが設けられ、側面には前記回転軸３を案内するためのガイド用長孔４ｂが設けられている。
【００２４】
前記スライダ４には、送り爪（図示せず）が装着されており、スライダ４の昇降動に連動する送り爪の作動により、前記字輪を間欠的に回動するよう構成されている。このような番号器における番号自動送り構造としては、種々の機構を採用できるものであるので、字輪が間欠的に回動する点の説明は省略する。
【００２５】
図６は、本発明の要部を示す斜視図であり、図中６は固定爪器である。この固定爪器６は、爪片６ｂ、爪片６ｃ、爪片６ｄ、爪片６ｅの４本の爪片を有している。この各爪片の作用については後述する。
図中７ａ、７ｂ、７ｃは、一、十、百の位のそれぞれの回転子を示す。前記一の位の回転子７ａの側面には、一の位の字輪回転用ギヤ８ａと、固定用ギヤ８ｂが一体的に形成されている。また、十の位の回転子７ｂの側面には、十の位の字輪の空転防止用ギヤ８ｃが一体的に形成されている。また、百の位の回転子７ｃ側面には、百の位の字輪固定用ギヤ８ｄが一体的に形成されており、更に、百の位の回転子７ｃ外側には、別個に形成した十の位の字輪固定用ギヤ８ｅが取り付けてある。
【００２６】
図７に前記固定爪器６を示す。爪片６ｂは前記一の位の字輪固定用ギヤ８ｂと係合するものである。また、爪片６ｃは前記十の位の字輪の空転防止用ギヤ８ｃと係合し、爪片６ｄは百の位の字輪固定用ギヤ８ｄと係合し、爪片６ｅは十の位の字輪固定用ギヤ８ｅとそれぞれ係合するものである。この固定爪器６は、図８に示されるように、ケース１の水平板１ｂの下側に取り付けられている。
【００２７】
図９に一の位の字輪側から見た字輪の分解斜視図、図１０に百の位の字輪側から見た字輪の分解斜視図を示す。なお、図示のものでは、各字輪にかえて、一の位の回転子７ａ、十の位の回転子７ｂ、百一の位の回転子７ｃを記載してある。各回転子の中心部には回転軸３を挿通するための軸孔９ａ、９ｂ、９ｃが形成されている。
前記回転軸３は、一の位の回転子７ａを固定する第１の軸部品３ｃと、十及び百の位の回転子７ｂ、７ｃを固定する第２の軸部品３ｄの２部品で構成されている。この第１及び第２の軸部品３ｃ、３ｄは、同軸上で互いに摺動かつ回動自在とされている。図示のものでは、第２の軸部品３ｄの先端部に縮径軸部３ｅが形成され、これが第１の軸部品３ｃの筒孔部３ｆに挿入されることで、互いに摺動かつ回動自在な構造となっている。
【００２８】
前記第１の軸部品３ｃの軸部外周には一の位の回転子７ａの凹部１０ａに嵌合する凸部３ｇが形成されており、この凹部１０ａと凸部３ｇの嵌合により、リューズ３ａを回すと一の位の回転子７ａが回動できる構造となっている。また、第２の軸部品３ｄの軸部外周には十の位の回転子７ｂの凹部１０ｂと、百の位の回転子７ｃの凹部１０ｃのいずれかと選択的に嵌合する凸部３ｈが形成されており、凹部１０ｂと凸部３ｈの嵌合、あるいは凹部１０ｃと凸部３ｈの嵌合により、リューズ３ｂを回すと十の位の回転子７ｂ、あるいは百の位の回転子７ｃのいずれかを選択的に回動できる構造となっている。
【００２９】
図１１〜１２を参照して、前記リューズの回動と各回転子の回動について説明する。
図１１は通常の状態を示すものであるが、この場合は、一の位の回転子７ａは凹部１０ａと凸部３ｇが嵌合しているため、リューズ３ａを回すことで任意の位置へ回動調整できる状態となっている。一方、第２の軸部品３ｄの凸部３ｈは、十の位の回転子７ｂの凹部１０ｂのみに嵌合しているため、リューズ３ｂを回すことで任意の位置へ回動調整できる状態となっている。この時、百の位の回転子７ｃの凹部１０ｃには凸部３ｈが嵌合しておらずフリーの状態であり、リューズ３ｂの回動で回ることはない。
【００３０】
一方、図１２に示すように、リューズ３ｂを左側へ引っ張ると、第２の軸部品３ｄは左側へ移動して凸部３ｈが十の位の回転子７ｂの凹部１０ｂとの嵌合を解き、今度は百の位の回転子７ｃの凹部１０ｃのみに嵌合した状態となる。この結果、リューズ３ｂを回すと百の位の回転子７ｃのみを任意の位置へ回動調整できる状態となる。この時、十の位の回転子７ｂの凹部１０ｂには凸部３ｈが嵌合しておらずフリーの状態であり、リューズ３ｂの回動で回ることはない。
なお、この場合においても、第１の軸部品３ｃの凸部３ｇと一の位の回転子７ａの凹部１０ａとは嵌合した状態となっているため、リューズ３ａの回動により任意の位置へ回動調整できる状態となっている。
以上の説明では、二つのリューズ３ａ、３ｂを用いて各回転子を回動するようにした構造について説明したが、一個の凸部で各回転子の凹部と嵌合できる構造とし、一つのリューズの引っ張りと回動のみで３個の回転子を回せるようにすることもできる。
【００３１】
次に、前記固定爪器６の作用について説明する。
前記リューズを回動することにより各位の字輪を任意の番号に調整するが、このときに各字輪の回動にクリック感をもたせて節度よく行えることが好ましく、また回動後は各字輪が正確な位置に固定され印字のズレを防止することが好ましい。
本発明では、一から百の位の各字輪２ａ、２ｂ、２ｃは、それぞれ固定用ギヤ８ｂ、８ｅ、８ｄを有しており、ケース１に取り付けた固定爪器６から突出した各位の字輪係用の爪片６ｂ、６ｄ、６ｅの先端部が、それぞれの固定用ギヤの溝に係合して各字輪を固定するように構成されている。即ち、一の位の回転子７ａの側面に形成された固定用ギヤ８ｂに爪片６ｂが係合することで、リューズ３ａの回動操作にクリック感をもたせるとともに、字輪２ａを正確に位置合わせすることができる。同様に、十の位の固定用ギヤ８ｅに爪片６ｅが係合することにより、また百の位の固定用ギヤ８ｄに爪片６ｄが係合することによりリューズ３ｂの回動操作にクリック感をもたせ、かつ字輪２ｂと字輪２ｃを正確に位置合わせすることができる。
【００３２】
また、図１２に示すように、凸部３ｈが十の位の回転子７ｂの凹部１０ｂとの嵌合を解き、百の位の回転子７ｃの凹部１０ｃのみに嵌合した状態にあると、十の位の回転子７ｂはフリーの状態となる。この結果、字輪２ｂは位置合わせができずに不安定となる。
そこで、本発明では十の位の字輪２ｂは、空転防止用ギヤ８ｃを有しており、ケース１に取り付けた固定爪器６から突出した空転防止用の爪片６ｃの先端部が、前記空転防止用ギヤ８ｃの溝に係合して十の位の字輪２ｂの空転を防止するように構成してある。
これにより、前記凸部３ｈが嵌合していなくても、字輪２ｂは空転することがなく、しっかりと位置合わせした状態を保持できることとなる。
なお、図示のものでは、字輪間をシンプルな構成とするために前記十の位の空転防止用ギヤ８ｃを別に設けた構造となっているが、字輪間に固定用ギヤを設け、このギヤに空転防止用ギヤの機能を兼ねさせたものとすることもできる。
【００３３】
次に、図１３に示すように、前記字輪２は、例えば一の位の字輪２ａを例にとると、円板状の回転子７ａと、この回転子７ａの外周に装着される印字ベルト１１からなり、前記回転子７ａの外周には逆テーパ状の壁面からなる凹部１２が形成され、この凹部１２内に印字ベルト１１の裏面に設けた凸部１３が係合したものとなっている。
これにより、印字ベルト１１を回転子７ａの外周に正確かつ強固に取り付けることができ、精度の高い印字ができることとなる。なお、十の位の字輪２ｂ、百の位の字輪２ｃも同様の構造となっている。
【００３４】
前記字輪２の回転軸３には、常時は字輪２の印字面に密着して該印字面を覆った状態（図１を参照）にあり、押印時には外部側へ跳ね上がった状態（図１４を参照）となるようにスライダ４の昇降動に連動して回動する可動式のスタンプ台１４が取り付けてある。図１及び図１４に示すものでは、スタンプ台１４の前後を２つの平行リンク１５ａ、１５ｂにより連結する一般的な平行リンク構造を用いることで、前記の動作を達成しているが、同様の動作を達成するものであれば、いかなるリンク構造も採用できることは勿論である。
これにより、印字面に自動的にインクの供給を行うことが可能で鮮明な印字を達成することができ、また、スタンプ台１４が跳ね上げ式であるので邪魔になることがなくコンパクトな構造とすることができる。
【００３５】
前記ケース１の側面１ａには、スライダ４が最大に上昇した位置を保持するためのロック爪１６が設けてあり、一方、対応するスライダ４の側面には突起片１７が設けてあって、スライダ４が上昇して突起片１７がロック爪１６を乗り越えると、スライダ４の下方向への動きがストップされて上昇位置が保持される構造となっている。また、前記ロック爪１６の上方にはロック解除用の突起１６ａが設けてあり、この突起１６ａを内側に向けて押すことで前記ロック爪１６と突起片１７の係止を解いてスライダ４を下方に下げることができる構造となっている。
これにより、使用しない時はスライダ４を上昇位置に保持してコンパクトな形態とすることができ、優れた取扱い性を発揮することができる。
【００３６】
以上のように構成した本発明の番号器では、ケースに水平な回転軸が回動自在に枢着されているとともに、この回転軸に前記各位の字輪が軸止されており、回転軸の両端に取り付けたリューズの回動により各位の字輪を任意の番号に回動調整できるようにしたので、従来のようにピンセット等の道具を使わずに各字輪の調整を簡単に行うことができ、また手を汚す等の不便もない。従って、操作性に優れた各字輪の調整機能付きの番号器を提供することができることとなる。
【符号の説明】
【００３７】
１  ケース
１ａ  側面
１ｂ  水平板
２  字輪
２ａ  一の位の字輪
２ｂ  十の位の字輪
２ｃ  百の位の字輪
３  回転軸
３ａ  リューズ
３ｂ  リューズ
３ｃ  第１の軸部品
３ｄ  第２の軸部品
３ｅ  縮径軸部
３ｆ  筒孔部
３ｇ  凸部
３ｈ  凸部
３ｉ  凸部
４  スライダ
４ａ  押印用の開口部
４ｂ  ガイド用長孔
４ｃ  天板
５  スプリング
６  固定爪器
６ｂ  爪片
６ｃ  爪片
６ｄ  爪片
６ｅ  爪片
７ａ  一の位の回転子
７ｂ  十の位の回転子
７ｃ  百の位の回転子
８ａ  一の位の字輪回転用ギヤ
８ｂ  一の位の字輪固定用ギヤ
８ｃ  十の位の字輪の空転防止用ギヤ
８ｄ  百の位の字輪固定用ギヤ
８ｅ  十の位の字輪固定用ギヤ
９ａ  軸孔
９ｂ  軸孔
９ｃ  軸孔
９ｄ  軸孔
10ａ  凹部
10ｂ  凹部
10ｃ  凹部
10ｄ  凹部
１１  印字ベルト１１
１２  凹部
１３  凸部
１４  スタンプ台
15ａ  リンク
15ｂ  リンク
１６  ロック爪
16ａ  突起
１７  突起片
【図１】
2015174258.tif 000003
【図２】
2015174258.tif 000004
【図３】
2015174258.tif 000005
【図４】
2015174258.tif 000006
【図５】
2015174258.tif 000007
【図６】
2015174258.tif 000008
【図７】
2015174258.tif 000009
【図８】
2015174258.tif 000010
【図９】
2015174258.tif 000011
【図１０】
2015174258.tif 000012
【図１１】
2015174258.tif 000013
【図１２】
2015174258.tif 000014
【図１３】
2015174258.tif 000015
【図１４】
2015174258.tif 000016